(57)【特許請求の範囲】
【請求項１】
湾曲可能な平板状の帯状板からなり、配線・配管材等の被保持物に回されて、その被保持物を保持する保持材であって、
前記帯状板の長手方向において、厚さ方向に貫通する貫通部が穿設された掛止部と、その掛止部に掛かり止められる被掛止部とを、それぞれ複数有するとともに、前記掛止部と前記被掛止部とが、前記帯状板の長手方向に交互に繰り返すように配列されてなり、
前記貫通部は、幅広貫通部と、その幅広貫通部に連通するようにして、その幅広貫通部の、前記帯状板の長手方向の両側に設けられ、前記帯状板の長手方向に直交する方向となる左右方向の幅が、前記幅広貫通部よりも幅狭な幅狭貫通部とを備え、また、
前記被掛止部は、前記左右方向の幅が、前記幅広貫通部よりも幅狭かつ前記幅狭貫通部より幅広であって、前記幅広貫通部に挿通可能な幅広部と、その幅広部に連設されるようにして、その幅広部の、前記帯状板の長手方向の両側に設けられ、前記左右方向の幅が、前記幅広部よりも幅狭かつ前記幅狭貫通部より幅狭な幅狭部とを備え、
前記幅広部の、前記帯状板の長手方向の各側に位置して前記幅狭部に繋がる辺は、前記左右方向に延びるようにして形成されており、
前記幅狭部は、前記幅広貫通部に挿入された前記被掛止部の、前記掛止部の面に沿う前記帯状板の長手方向の移動により、前記幅狭貫通部内に進入し、前記幅広部は、前記掛止部に掛かり止められることを特徴とする保持材。
【請求項２】
湾曲可能な平板状の帯状板からなり、配線・配管材等の被保持物に回されて、その被保持物を保持する保持材であって、
前記帯状板の長手方向において、厚さ方向に貫通する貫通部が穿設された掛止部と、その掛止部に掛かり止められる被掛止部とを、それぞれ複数有するとともに、前記掛止部と前記被掛止部とが、前記帯状板の長手方向に交互に繰り返すように配列されてなり、
前記貫通部は、幅広貫通部と、その幅広貫通部に連通し、前記帯状板の長手方向に直交する方向となる左右方向の幅が、前記幅広貫通部よりも幅狭な幅狭貫通部とを備え、また、
前記被掛止部は、前記左右方向の幅が、前記幅広貫通部よりも幅狭かつ前記幅狭貫通部より幅広であって、前記幅広貫通部に挿通可能な幅広部と、その幅広部に連設され、前記左右方向の幅が、前記幅広部よりも幅狭かつ前記幅狭貫通部より幅狭な幅狭部とを備え、
前記貫通部内に、前記幅狭貫通部内に進入した前記幅狭部が前記幅広貫通部内に戻るのを防止する、戻り防止部を備え、
前記戻り防止部は、前記幅広貫通部から前記幅狭貫通部に至る途中に、前記幅狭貫通部側ほど前記貫通部の内側に突出するようにして形成されており、
前記幅狭部は、前記幅広貫通部に挿入された前記被掛止部の、前記掛止部の面に沿う前記帯状板の長手方向の移動により、前記戻り防止部を乗り越えて前記幅狭貫通部内に進入し、前記幅広部は、前記掛止部に掛かり止められることを特徴とする保持材。
【請求項３】
請求項２に記載の保持材であって、
前記幅狭部は、前記幅広部の、前記帯状板の長手方向の両側に設けられることを特徴とする保持材。
【請求項４】
請求項３に記載の保持材であって、
前記幅狭貫通部は、前記幅広貫通部の、前記帯状板の長手方向の両側に設けられることを特徴とする保持材。
【請求項５】
請求項１ないし４のいずれか１項に記載の保持材であって、
前記幅広部の中央には、前記被保持物を吊り下げるようにして保持するように、取付箇所に取り付けるための取付孔を備えることを特徴とする保持材。
【請求項６】
請求項１ないし５のいずれか１項に記載の保持材であって、前記帯状板は、金属板からなることを特徴とする保持材。
【発明の詳細な説明】
【０００１】
【発明の属する技術分野】
この発明は、被保持物に回されて、その被保持物を簡単に保持することができる、保持材に関するものである。
【０００２】
【従来の技術および発明が解決しようとする課題】
従来、例えば、建物の天井等から、配線・配管材や各種ダクト等の被保持物を吊り下げるようにして保持するために、湾曲可能な帯状の金属板からなる、保持材としての保持バンドが使用されていた。
【０００３】
例えば、図８に示す保持バンド２１においては、その長手方向に所定間隔を置いて複数の透孔２１ａ、２１ａが並ぶように設けられていた。この保持バンド２１は、被保持物２２の下側に回すようにし、上部側を、天井の形鋼２３等に固定された吊り金具２４の孔２４ａに通し、その後、両端を透孔２１ａ、２１ａが連通するように重ね合わせて、その連通する透孔２１ａ、２１ａにボルト２５を挿通して、その挿通したボルト２５の先端側にナット（図示せず）を螺合させることで、その両端が止められるものであった。
【０００４】
しかし、上記の保持バンド２１にあっては、ボルト２５とナットを別途用意しなければならず、また、重ね合わせた両端の互いの透孔２１ａ、２１ａが連通するように位置を合わせて、その透孔２１ａ、２１ａにボルト２５を挿通させ、さらにナットを螺合させるという一連の作業を必要とし、面倒で作業性が悪かった。
【０００５】
また、例えば、図９に示す保持バンド３１においては、ボルト２５やナットを不要にするものであり、切り起こされる爪部３１ａ、３１ａと、その爪部３１ａ、３１ａが挿通される透孔３２ｂ、３２ｂとが設けられていた。この保持バンド３１は、被保持物２２の下側に回した両側において、一方側の爪部３１ａ、３１ａを他方側の透孔３１ｂ、３１ｂに挿通し、その後、爪部３１ａ、３１ａを折り曲げることにより、その両側の重合部が止められるものであった。
【０００６】
しかし、この保持バンド３１にあっては、湾曲可能な金属板により形成され、爪部３１ａも容易に切り起こしできるものであったため、爪部３１ａが折り曲げられて保持バンド３１の両端が止められても、その折り曲げられた爪部３１ａが、元の状態に復帰するよう変形し易く、重合部が、分離する虞があった。ここで、重合部の分離を防止するように、爪部３１ａの剛性を高めることは、その爪部３１ａの切り起こしや折り曲げが困難となって、作業性が悪くなるので、望ましくなかった。
【０００７】
この発明は、上記した従来の欠点を解決するためになされたものであり、その目的とするところは、被保持物に回されて、その被保持物を簡単に保持することができる、保持材を提供することにある。
【０００８】
【課題を解決するための手段】
この発明に係る保持材は、前記目的を達成するために、次の構成からなる。すなわち、
請求項１に記載の発明に係る保持材は、湾曲可能な平板状の帯状板からなり、配線・配管材等の被保持物に回されて、その被保持物を保持するものである。この保持材は、前記帯状板の長手方向において、厚さ方向に貫通する貫通部が穿設された掛止部と、その掛止部に掛かり止められる被掛止部とを、それぞれ複数有するとともに、前記掛止部と前記被掛止部とが、前記帯状板の長手方向に交互に繰り返すように配列されてなる。ここにおいて、前記貫通部は、幅広貫通部と、その幅広貫通部に連通するようにして、その幅広貫通部の、前記帯状板の長手方向の両側に設けられ、前記帯状板の長手方向に直交する方向となる左右方向の幅が、前記幅広貫通部よりも幅狭な幅狭貫通部とを備える。また、前記被掛止部は、前記左右方向の幅が、前記幅広貫通部よりも幅狭かつ前記幅狭貫通部より幅広であって、前記幅広貫通部に挿通可能な幅広部と、その幅広部に連設されるようにして、その幅広部の、前記帯状板の長手方向の両側に設けられ、前記左右方向の幅が、前記幅広部よりも幅狭かつ前記幅狭貫通部より幅狭な幅狭部とを備える。そして、前記幅広部の、前記帯状板の長手方向の各側に位置して前記幅狭部に繋がる辺は、前記左右方向に延びるようにして形成されている。そこで、前記幅狭部は、前記幅広貫通部に挿入された前記被掛止部の、前記掛止部の面に沿う前記帯状板の長手方向の移動により、前記幅狭貫通部内に進入し、前記幅広部は、前記掛止部に掛かり止められる。こうして、この保持材を用いて被保持物を保持する際には、この保持材を被保持物に回して、その被保持物を保持する。このとき、被掛止部を幅広部から幅狭部に至るまで、掛止部の幅広貫通部に挿通し、次いで、被掛止部を、掛止部の面に沿う、帯状板の長手方向に移動することで、被掛止部の幅狭部を、掛止部の幅狭貫通部内に進入させると、被掛止部の幅広部は、掛止部に、その幅狭貫通部から抜脱不能に掛かり止められる。そして、掛止部と被掛止部とは、帯状板の長手方向において、それぞれ複数設けられており、帯状板を切断して使用する場合に、幅広部の、帯状板の長手方向の両側に設けられる幅狭部のいずれか任意の一方を切断部として、また、他方を、幅狭貫通部内に進入する幅狭部として機能させることができる。しかも、被掛止部の幅狭部を、幅広貫通部の、帯状板の長手方向の両側に設けられる幅狭貫通部のいずれにも進入させることができるので、この保持材の使用に際して、保持材の向きを考慮することなく使用することができる。
【０００９】
また、前記掛止部と前記被掛止部とが、前記帯状板の長手方向に交互に繰り返すように配列されているため、この帯状板を、被保持物の大きさ等を考慮の上、適宜長さに切断して使用することができる。ここにおいて、「前記掛止部と前記被掛止部とが、前記帯状板の長手方向に交互に繰り返すように配列され」とは、掛止部と、被掛止部とが、それらの１つずつが、帯状板の長手方向に交互に繰り返すように配列される場合だけでなく、いずれか一方あるいは両方が、２つ以上を単位として、帯状板の長手方向に交互に繰り返すように配列される場合も含むものである。
【００１０】
【００１１】
また、請求項２に記載の発明に係る保持材は、湾曲可能な平板状の帯状板からなり、配線・配管材等の被保持物に回されて、その被保持物を保持するものである。この保持材は、前記帯状板の長手方向において、厚さ方向に貫通する貫通部が穿設された掛止部と、その掛止部に掛かり止められる被掛止部とを、それぞれ複数有するとともに、前記掛止部と前記被掛止部とが、前記帯状板の長手方向に交互に繰り返すように配列されてなる。ここにおいて、前記貫通部は、幅広貫通部と、その幅広貫通部に連通し、前記帯状板の長手方向に直交する方向となる左右方向の幅が、前記幅広貫通部よりも幅狭な幅狭貫通部とを備える。また、前記被掛止部は、前記左右方向の幅が、前記幅広貫通部よりも幅狭かつ前記幅狭貫通部より幅広であって、前記幅広貫通部に挿通可能な幅広部と、その幅広部に連設され、前記左右方向の幅が、前記幅広部よりも幅狭かつ前記幅狭貫通部より幅狭な幅狭部とを備える。そして、この保持材は、前記貫通部内に、前記幅狭貫通部内に進入した前記幅狭部が前記幅広貫通部内に戻るのを防止する、戻り防止部を備える。そして、前記戻り防止部は、前記幅広貫通部から前記幅狭貫通部に至る途中に、前記幅狭貫通部側ほど前記貫通部の内側に突出するようにして形成されている。そこで、前記幅狭部は、前記幅広貫通部に挿入された前記被掛止部の、前記掛止部の面に沿う前記帯状板の長手方向の移動により、前記戻り防止部を乗り越えて前記幅狭貫通部内に進入し、前記幅広部は、前記掛止部に掛かり止められる。こうして、この保持材を用いて被保持物を保持する際には、この保持材を被保持物に回して、その被保持物を保持する。このとき、被掛止部を幅広部から幅狭部に至るまで、掛止部の幅広貫通部に挿通し、次いで、被掛止部を、掛止部の面に沿う、帯状板の長手方向に移動することで、被掛止部の幅狭部を、掛止部の幅狭貫通部内に進入させると、被掛止部の幅広部は、掛止部に、その幅狭貫通部から抜脱不能に掛かり止められる。そして、このように、被掛止部の幅狭部が、掛止部の幅広貫通部から幅狭貫通部内に進入すると、その進入した幅狭部は、貫通部内に備えられた戻り防止部により、幅広貫通部内に戻るのが防止される。
また、前記掛止部と前記被掛止部とが、前記帯状板の長手方向に交互に繰り返すように配列されているため、この帯状板を、被保持物の大きさ等を考慮の上、適宜長さに切断して使用することができる。ここにおいて、「前記掛止部と前記被掛止部とが、前記帯状板の長手方向に交互に繰り返すように配列され」とは、掛止部と、被掛止部とが、それらの１つずつが、帯状板の長手方向に交互に繰り返すように配列される場合だけでなく、いずれか一方あるいは両方が、２つ以上を単位として、帯状板の長手方向に交互に繰り返すように配列される場合も含むものである。
【００１２】
また、請求項３に記載の発明に係る保持材のように、請求項２に記載の保持材であって、前記幅狭部は、前記幅広部の、前記帯状板の長手方向の両側に設けられてもよい。これにより、帯状板を適宜長さに切断して使用する場合に、幅広部の、帯状板の長手方向の両側に設けられる幅狭部のいずれか任意の一方を切断部として、また、他方を、幅狭貫通部内に進入する幅狭部として機能させることができる。
【００１３】
また、請求項４に記載の発明に係る保持材のように、請求項３に記載の保持材であって、前記幅狭貫通部は、前記幅広貫通部の、前記帯状板の長手方向の両側に設けられてもよい。これにより、被掛止部の幅狭部を、幅広貫通部の、帯状板の長手方向の両側に設けられる幅狭貫通部のいずれにも進入させることができるので、この保持材の使用に際して、保持材の向きを考慮することなく使用することができる。
【００１４】
また、請求項５に記載の発明に係る保持材のように、請求項１ないし４のいずれか１項に記載の保持材であって、前記幅広部の中央には、前記被保持物を吊り下げるようにして保持するように、取付箇所に取り付けるための取付孔を備えてもよい。これにより、この保持材を、幅広部の中央に備わる取付孔を介して、天井その他の取付箇所に取り付けることで、被保持物を吊り下げるようにして保持することが可能となる。
また、請求項６に記載の発明に係る保持材のようには、請求項１ないし５のいずれか１項に記載の保持材であって、前記帯状板は、金属板からなっていてもよい。
【００１５】
【発明の実施の形態】
以下、この発明に係る保持材を、吊り下げ用の保持材に具体化した実施の形態につき、図面に基づいて説明する。
【００１６】
図１ないし図４は、本発明に係る保持材の一実施の形態を示す。この保持材１は、例えば、圧延鋼板等の、湾曲可能な帯状板Ｐからなり、配線・配管材等の被保持物２の下側に回されて、その被保持物２を吊り下げるようにして保持するものである。図２に示すように、この保持材１は、掛止部３と、その掛止部３に掛かり止められる被掛止部４とが、帯状板Ｐの長手方向に交互に繰り返すように配列されている。このようにして、保持材１は、帯状板Ｐの長手方向の一の部位に、掛止部３を、他の部位に、被掛止部４を有している。
【００１７】
ここで、掛止部３は、この保持材１の幅を形成するようにして、若干横長の矩形形状に形成されて、中央には、厚さ方向に貫通する貫通部３ａが穿設されている。この貫通部３ａは、中央の、左右方向に延びるスリット状の幅広貫通部３ｂ（左右方向の幅寸法Ｗ１）と、その幅広貫通部３ｂの、帯状板Ｐの長手方向の両側に、幅広貫通部３ｂに連通するよう設けられて、幅広貫通部３ｂよりも、左右方向の幅が幅狭な幅狭貫通部３ｃ、３ｃ（左右方向の幅寸法Ｗ２）とを備えている。また、幅広貫通部３ｂから幅狭貫通部３ｃに至る途中には、貫通部３ａの内側に突出するようにして戻り防止部３ｄ、３ｄが形成されている。
【００１８】
一方、被掛止部４は、幅広部４ａ（左右方向の幅寸法Ｗ３）と、その幅広部４ａの、帯状板Ｐの長手方向の両側に、その幅広部４ａに連設されて、その幅広部４ａよりも幅狭な幅狭部４ｂ、４ｂ（左右方向の幅寸法Ｗ４）とからなっている。幅広部４ａは、横長の矩形形状をしており、幅寸法Ｗ３が、幅広貫通部３ｂの幅寸法Ｗ１よりも若干小さく形成されており、幅広貫通部３ｂに挿通可能となっている。さらに、幅広部４ａは、幅狭貫通部３ｃよりも幅広に、つまり、幅広部４ａの幅寸法Ｗ３が、幅狭貫通部３ｃの幅寸法Ｗ２よりも大きく形成されている。また、幅狭部４ｂの幅寸法Ｗ４は、幅狭貫通部３ｃの幅寸法Ｗ２よりも若干小さく形成されており、幅広貫通部３ｂに挿入された被掛止部４の、掛止部３の面に沿う帯状板Ｐの長手方向の移動により、幅狭部４ｂは、戻り防止部３ｄ、３ｄを乗り越えて幅狭貫通部３ｃ内に進入可能となっている。こうして、幅狭部４ｂが幅狭貫通部３ｃ内に進入したとき、幅広部４ａが幅狭貫通部３ｃよりも幅広に形成されているので、幅広部４ａは、掛止部３に掛かり止められる。
【００１９】
また、幅広部４ａの中央には、被保持物２を吊り下げるようにして保持するように、この保持材１を天井その他の取付箇所５に取り付けるための、被取付部としての取付孔１ａが穿設されている。この取付孔１ａは、小さな丸孔形状をしており、くぎ、ネジ等の取付補助具６をこの取付孔１ａに挿通するようにして、取付箇所５にこの保持材１を取り付けることができる。
【００２０】
次に、以上の構成からなる保持材１の使用方法を作用効果とともに説明する。初めに、図３に示すように、保持材１の下部側を、ループＬを作るように曲げ返し、その曲げ返した先端の被掛止部４を、Ａ方向に移動させることで、幅広部４ａから幅狭部４ｂに至るまで、この保持材１の中間に位置する掛止部３の幅広貫通部３ｂに挿入する。その後、被掛止部４を、掛止部３の面に沿う、帯状板Ｐの長手方向（図示実施の形態においては下方向となるＢ方向）に移動させて、被掛止部４の幅狭部４ｂを、掛止部３の幅狭貫通部３ｃ内に進入させる。このとき、被掛止部４の幅広部４ａは、掛止部３の、幅狭貫通部３ｃの周縁に、その幅狭貫通部３ｃから抜脱不能に掛かり止められる。さらに、幅狭貫通部３ｃ内に進入した幅狭部４ｂは、貫通部３ａ内の戻り防止部３ｄ、３ｄにより、幅広貫通部３ｂ内に戻るのが防止される。そして、ループＬに、被保持物２が入れられることで、結果的に、この保持材１は、その下部側が被保持物２の下側に回されることとなる（図４参照）。
【００２１】
また、保持材１の上端は、図１に示すように、くぎ、ネジ等の取付補助具６を保持材１の取付孔１ａに挿通するようにして、天井等に渡された横木７の取付箇所５に打ち込む、あるいはねじ込む等により、その横木７に取り付けられる。
【００２２】
このようにして、この保持材１によれば、被掛止部４を、掛止部３の幅広貫通部３ｂに挿入し、次いで、被掛止部４の幅狭部４ｂが幅狭貫通部３ｃ内に進入するように移動させるだけで、被掛止部４は、掛止部３に掛かり止められるので、被保持物２を簡単に保持することができる。また、このとき、戻り防止部３ｄ、３ｄにより、被掛止部４は、幅広貫通部３ｂ側に戻るのが防止されて、被掛止部４は、掛止部３に確実に掛かり止められるので、被保持物２を確実に保持することができる。
【００２３】
また、この保持材１の掛止部３と被掛止部４とは、帯状板Ｐの長手方向に交互に繰り返すように配列されているので、この帯状板Ｐを、被保持物２の大きさ等を考慮の上、適宜長さに切断して使用することができる。
【００２４】
また、この保持材１の幅狭部４ｂは、幅広部４ａの、帯状板Ｐの長手方向の両側に設けられているので、帯状板Ｐを適宜長さに切断して使用する場合に、幅広部４ａの、帯状板Ｐの長手方向の両側に設けられる幅狭部４ｂ、４ｂのいずれか任意の一方を切断部として、また、他方を、幅狭貫通部３ｃ内に進入する本来の幅狭部として機能させることができる。
【００２５】
また、この保持材１の幅狭貫通部３ｃは、幅広貫通部３ｂの、帯状板Ｐの長手方向の両側に設けられているので、被掛止部４の幅狭部４ｂを、幅広貫通部３ｂの、帯状板Ｐの長手方向の両側に設けられる幅狭貫通部３ｃ、３ｃのいずれにも進入させることができ、この保持材１の使用に際して、保持材１の上下の向きを考慮することなく使用することができる。
【００２６】
また、保持材１の上端を、取付孔１ａを介して、天井等にわたされた横木７の取付箇所５に取り付けることで、被保持物２を吊り下げるようにして保持することができる。
【００２７】
なお、本発明は、上述した実施の形態に限定されるわけではなく、その他種々の変更が可能である。例えば、保持材１を取付箇所５に取り付けるにあたって、取付孔１ａを使用するのではなく、図５に示すように、保持材１の上部側を、天井等にわたされた形鋼８の取付箇所５に回すようにして、その先端を、下部側の先端と同様にして止めて、被取付部としてのループＬ１を形成することで、取付箇所５に取り付けてもよい。
【００２８】
また、保持材１の、取付箇所５への取り付けは、図６に示すように、天井等に固定された吊り具９の平板状の取付箇所５に穿設された貫通部９ａに、保持材１の上部側の先端の被掛止部４を挿入するようにして、取り付けてもよい。こうして、保持材１の上部側の先端の被掛止部４を、この保持材１を取付箇所５に取り付けるための被取付部Ｍとして機能させることができる。ここで、吊り具９の貫通部９ａは、保持材１の幅広貫通部３ｂと同一形状の幅広貫通部９ｂと、その幅広貫通部９ｂの下側に位置し、幅広貫通部９ｂに連通する、保持材１の幅狭貫通部３ｃと同一形状の幅狭貫通部９ｃとを備えており、それらの途中には、保持材１の戻り防止部３ｄと同一形状の戻り防止部９ｄが形成されている。こうして、保持材１の上部側の先端の被掛止部４は、下部側の先端の被掛止部４が掛止部３に掛かり止められるのと同様の方法、つまり、被掛止部４を、吊り具９の幅広貫通部９ｂに挿入し、その後、下方に移動することで、被取付部Ｍとなる被掛止部４は、取付箇所５に掛かり止められる。
【００２９】
また、この保持材１を用いて被保持物２を保持する方法は、前述の方法に限定されるわけでわなく、例えば、保持材１の、被保持物２の下側を回した両端を、天井等にわたされた複数の形鋼８、８の各取付箇所５、５に、それぞれ、図５に示す保持材１の上部側のように、回すようにして取り付けることで、被保持物２を吊下げ保持してもよい。
【００３０】
また、この保持材１を取り付ける取付箇所５は、天井でなくとも、壁あるいは床等であってもよく、また、この保持材１は、取付箇所５に取り付けられることなく、例えば、複数本の被保持物２、２に回されてそれら被保持物２、２を単に束ねるようにして保持するものであってもよい。
【００３１】
また、掛止部３や被掛止部４の形状は、上述の実施の形態に限定されず、図７に示す保持材１０のように、掛止部３の幅狭貫通部３ｃが、その中央に、左右方向に延びるスリット状に形成されて、幅広貫通部３ｂが、幅狭貫通部３ｃと中央で交差する斜め方向に延びるスリット状に形成されてもよい。そして、幅狭貫通部３ｃと幅広貫通部３ｂとは、幅狭貫通部３ｃの幅寸法Ｗ２を直径とする扇形状部１０ａ、１０ａを介して連通している。この保持材１０においては、被掛止部４の幅広部４ａは、掛止部３でもって兼用され、被掛止部４の幅狭部４ｂは、帯状板Ｐの長手方向に並ぶ掛止部３、３（つまり、幅広部４ａ、４ａ）をつなぐように配置されている。こうして、この保持材１０においては、掛止部３と被掛止部４の幅広部４ａとが重複するようにして、それら掛止部３と、被掛止部４とが、帯状板Ｐの長手方向に交互に繰り返すように配列される。そして、この保持材１０を使用するにあたっては、曲げ返した下部側の先端の被掛止部４を、この保持材１０の中間に位置する掛止部３の幅広貫通部３ｂに合うようにねじって、その幅広貫通部３ｂに、幅広部４ａから幅狭部４ｂに至るまで挿入する。その後、被掛止部４のねじりを戻すように、その被掛止部４を、掛止部３の面に沿う方向として、掛止部３の面に直交するその掛止部３の中心を通る軸を中心に回転する方向に回転移動させて、被掛止部４の幅狭部４ｂを、掛止部３の幅狭貫通部３ｃ内に進入させる。こうして、被掛止部４の幅広部４ａは、掛止部３の、幅狭貫通部３ｃの周縁に、その幅狭貫通部３ｃから抜脱不能に掛かり止められる。
【００３２】
また、掛止部３と、被掛止部４とは、それらの１つずつが、帯状板Ｐの長手方向に交互に繰り返すように配列されなくとも、いずれか一方あるいは両方が、２つ以上を単位として、帯状板Ｐの長手方向に交互に繰り返すように配列されてもよい。さらに、掛止部３と、被掛止部４とは、帯状板Ｐの長手方向に交互に繰り返すように配列されなくとも、掛止部３が、帯状板Ｐの長手方向の一の部位に、そして、被掛止部４が、他の部位にあれば、掛止部３と被掛止部４は、各々１つであってもよい。
【００３３】
また、保持材１は、圧延鋼板の他に、銅板その他の金属板や合成樹脂板を、プレス加工することにより製造されてもよく、また、合成樹脂材料を樹脂成形することにより製造されてもよい。
【００３４】
また、被保持物２は、配線・配管材の他に、各種のダクト類であってもよく、また、それらの断面形状は、円形、矩形、その他の形状であっても構わない。
【００３５】
【発明の効果】
以上、詳述したところから明らかなように、この発明に係る保持材によれば、次の効果がある。
【００３６】
請求項１に記載された保持材によれば、被掛止部を幅広部から幅狭部に至るまで、掛止部の幅広貫通部に挿通し、次いで、被掛止部の幅狭部を、掛止部の幅狭貫通部内に進入させることで、被掛止部の幅広部は、掛止部に掛かり止められるので、被保持物を簡単に保持することができる。そして、掛止部と被掛止部とは、帯状板の長手方向において、それぞれ複数設けられており、帯状板を切断して使用する場合に、幅広部の両側に設けられる幅狭部のいずれか任意の一方を切断部として、また、他方を、幅狭貫通部内に進入する幅狭部として機能させることができる。しかも、被掛止部の幅狭部を、幅広貫通部の両側に設けられる幅狭貫通部のいずれにも進入させることができるので、この保持材の使用に際して、保持材の向きを考慮することなく使用することができる。
【００３７】
また、掛止部と被掛止部とが、帯状板の長手方向に交互に繰り返すように配列されているため、この帯状板を、被保持物の大きさ等を考慮の上、適宜長さに切断して使用することができる。
【００３８】
【００３９】
また、請求項２に記載された保持材によれば、被掛止部を幅広部から幅狭部に至るまで、掛止部の幅広貫通部に挿通し、次いで、被掛止部の幅狭部を、掛止部の幅狭貫通部内に進入させることで、被掛止部の幅広部は、掛止部に掛かり止められるので、被保持物を簡単に保持することができる。そして、このとき、被掛止部の幅狭部が、戻り防止部により、掛止部の幅広貫通部内に戻るのが防止されて、被掛止部は、掛止部に確実に掛かり止められるので、被保持物を確実に保持することができる。
また、掛止部と被掛止部とが、帯状板の長手方向に交互に繰り返すように配列されているため、この帯状板を、被保持物の大きさ等を考慮の上、適宜長さに切断して使用することができる。
【００４０】
また、請求項３に記載された保持材によれば、請求項２の効果に加えて、帯状板を適宜長さに切断して使用する場合に、幅広部の両側に設けられる幅狭部のいずれか任意の一方を切断部として、また、他方を、幅狭貫通部内に進入する幅狭部として機能させることができる。
【００４１】
また、請求項４に記載された保持材によれば、請求項３の効果に加えて、被掛止部の幅狭部を、幅広貫通部の両側に設けられる幅狭貫通部のいずれにも進入させることができるので、この保持材の使用に際して、保持材の向きを考慮することなく使用することができる。
【００４２】
また、請求項５に記載された保持材によれば、請求項１ないし４のいずれか１項の効果に加えて、この保持材を、幅広部の中央に備わる取付孔を介して、取付箇所に取り付けることで、被保持物を吊り下げるようにして保持することができる。
【図面の簡単な説明】
【図１】  この発明に係る保持材の一実施の形態の、斜視図である。
【図２】  同じく、保持材の一部省略拡大正面図である。
【図３】  同じく、保持材の下部側を曲げ返した状態の、拡大斜視図である。
【図４】  同じく、保持材の被掛止部を貫通部に挿通した状態の、拡大斜視図である。
【図５】  この発明に係る保持材の他の実施の形態の、斜視図である。
【図６】  この発明に係る保持材のさらに他の実施の形態の、部分拡大斜視図である。
【図７】  この発明に係る保持材のさらに他の実施の形態の、保持材の一部省略拡大正面図である。
【図８】  従来の、保持バンドを示す斜視図である。
【図９】  従来の、他の保持バンドを示す斜視図である。
【符号の説明】
１  保持材                      １ａ  取付孔（被取付部）
２  被保持物                    ３  掛止部
３ａ  貫通部                    ３ｂ  幅広貫通部
３ｃ  幅狭貫通部                ３ｄ  戻り防止部
４  被掛止部                    ４ａ  幅広部
４ｂ  幅狭部                    ５  取付箇所
１０  保持材                    Ｐ  帯状板
【図１】
0003673646.tif 000002
【図２】
0003673646.tif 000003
【図３】
0003673646.tif 000004
【図４】
0003673646.tif 000005
【図５】
0003673646.tif 000006
【図６】
0003673646.tif 000007
【図７】
0003673646.tif 000008
【図８】
0003673646.tif 000009
【図９】
0003673646.tif 000010